(57)【要約】      （修正有）【課題】外周形状が非円形であって、樹脂層を有する光学素子を効率的に製造できる光学素子の製造方法などを提供する。【解決手段】外周形状が非円形の透光性部材の一面に、光学素子面形状が形成された樹脂層を具備する光学素子の製造方法において、（１）外周形状が非円形の光学素子形成領域と、ダミー領域とを有する透光性部材の基板と、基板の光学素子形成領域の樹脂層に光学素子形状を形成するための光学素子面成形部とダミー領域と対向する位置に設けられたダミー成形部とを有してなる型材とを用意し、透光性部材の基板と型材とのいずれかに対して未硬化の光学材料樹脂を滴下する工程と、（２）基板および型材により、光学材料樹脂を同心円状に押し広げて光学素子形成領域に塗布する塗布工程と、（３）光学材料樹脂を硬化させる工程と、を含む。【選択図】図１
2007111958.tif 000002
【特許請求の範囲】
【請求項１】
外周形状が非円形である透光性部材の一面に、光学素子面形状が形成された樹脂層を具備する光学素子の製造方法であって、
外周形状が非円形である光学素子形成領域と、該光学素子形成領域の周囲に形成されたダミー領域とを有し、前記ダミー領域は前記光学素子形成領域と前記光学素子形成領域の外接円との間の位置を含むとともに、前記ダミー領域の厚さは前記光学素子形成領域よりも薄く形成されており、一方の面における前記光学素子形成領域と前記ダミー領域との間には段差無く形成された形状を有する透光性部材の基板と、前記基板の光学素子形成領域の樹脂層に光学素子形状を形成するための光学素子面成形部と前記ダミー領域と対向する位置に設けられたダミー成形部とを有してなる型材とを用意し、前記透光性部材の基板と前記型材とのいずれかに対して未硬化の光学材料樹脂を滴下する工程と、
前記基板および前記型材により、前記光学材料樹脂を同心円状に押し広げて前記光学素子形成領域に塗布する塗布工程と、
前記光学材料樹脂を硬化させる工程と、
を含むことを特徴とする光学素子の製造方法。
【請求項２】
前記光学材料樹脂の硬化後に、前記基板から前記ダミー領域を除去する工程をさらに備えることを特徴とする請求項１に記載の光学素子の製造方法。
【請求項３】
前記ダミー領域の基板背面側には、前記光学素子形成領域と接続された突起状の補強部分が形成されており、
前記光学材料樹脂の硬化後に、前記補強部分を押圧して前記型材と前記基板とを離脱させる工程をさらに備えることを特徴とする請求項１または請求項２に記載の光学素子の製造方法。
【請求項４】
外周形状が非円形である光学素子形成領域と、該光学素子形成領域の周囲に形成されたダミー領域とを有し、前記ダミー領域は前記光学素子形成領域と前記光学素子形成領域の外接円との間の位置を含んでなる透光性部材の基板と、前記基板の一面において前記外接円の中心部から同心円状に広がる樹脂層と、を備え、
前記光学素子形成領域の樹脂層には光学素子面形状が形成されるとともに、前記ダミー領域の厚さが前記光学素子形成領域よりも薄く設定されており、前記基板の樹脂層形成面の背面側には段差が形成されていることを特徴とする光学素子成形物。
【請求項５】
前記ダミー領域の基板背面側には、前記光学素子形成領域と接続された突起状の補強部分が形成されてなることを特徴とする請求項４に記載の光学素子成形物。
【請求項６】
前記光学素子形成領域の外接円よりも基板外周側の位置および基板背面側の光学素子形成領域以外の位置の少なくとも一方に、前記基板の回転角を位置決めするための位置決め部が形成されてなることを特徴とする請求項４または請求項５に記載の光学素子成形物。
【発明の詳細な説明】
【技術分野】
【０００１】
本発明は、外周形状が非円形であって、樹脂層を有する光学素子の製造方法および光学素子成形物に関する。
【背景技術】
【０００２】
従来から、ハードコート用の樹脂層や回折機能を有する樹脂層を光学面に形成してなる光学素子は広く一般に知られている。かかる樹脂層を形成する場合の一手法として、光学素子に滴下した未硬化の光学材料樹脂を押し広げて塗布し、光学材料樹脂を硬化させて樹脂層を形成する方法が知られている。また、レンズ周縁を研削加工して非円形のレンズを形成する技術も公知である（特許文献１参照）。
【特許文献１】実開平５−９３７５２号公報
【発明の開示】
【発明が解決しようとする課題】
【０００３】
ここで、外周形状が非円形であって、樹脂層を有する光学素子を製造する場合には以下のような問題が指摘されていた。
すなわち、予め非円形にカットされた光学素子に対し、光学材料樹脂を中央から押し広げて塗布しようとすると、光学素子の長手方向端部まで樹脂をむらなく塗布するのが困難となる。また、樹脂層を形成した円形の光学素子を加工して非円形に形成する場合には、レンズ部分と切除部分とを同じ肉厚にすると非円形の光学素子を切り出すための加工時間が長くなるため、更なる改善が要望されていた。
【０００４】
本発明は上記従来技術の課題を解決するものであって、その目的は、外周形状が非円形であって、樹脂層を有する光学素子を効率的に製造できる光学素子の製造方法などを提供することである。
【課題を解決するための手段】
【０００５】
第１の発明は、外周形状が非円形である透光性部材の一面に、光学素子面形状が形成された樹脂層を具備する光学素子の製造方法である。この第１の発明は、（１）外周形状が非円形である光学素子形成領域と、該光学素子形成領域の周囲に形成されたダミー領域とを有し、ダミー領域は光学素子形成領域と光学素子形成領域の外接円との間の位置を含むとともに、ダミー領域の厚さは光学素子形成領域よりも薄く形成されており、一方の面における光学素子形成領域とダミー領域との間には段差無く形成された形状を有する透光性部材の基板と、基板の光学素子形成領域の樹脂層に光学素子形状を形成するための光学素子面成形部とダミー領域と対向する位置に設けられたダミー成形部とを有してなる型材とを用意し、透光性部材の基板と型材とのいずれかに対して未硬化の光学材料樹脂を滴下する工程と、（２）基板および型材により、光学材料樹脂を同心円状に押し広げて光学素子形成領域に塗布する塗布工程と、（３）光学材料樹脂を硬化させる工程と、を含む。
【０００６】
また、上記した第１の発明では、光学材料樹脂の硬化後に、基板からダミー領域を除去する工程をさらに備えることが好ましい。
さらに、上記した第１の発明では、ダミー領域の基板背面側には、光学素子形成領域と接続された突起状の補強部分を形成し、光学材料樹脂の硬化後に、補強部分を押圧して型材と基板とを離脱させる工程をさらに備えることが好ましい。
【０００７】
第２の発明に係る光学素子成形物は、外周形状が非円形である光学素子形成領域と、該光学素子形成領域の周囲に形成されたダミー領域とを有し、ダミー領域は光学素子形成領域と光学素子形成領域の外接円との間の位置を含んでなる透光性部材の基板と、基板の一面において外接円の中心部から同心円状に広がる樹脂層と、を備える。そして、光学素子形成領域の樹脂層には光学素子面形状が形成されるとともに、ダミー領域の厚さが光学素子形成領域よりも薄く設定されており、基板の樹脂層形成面の背面側には段差が形成されている。
【０００８】
また、上記した第２の発明では、ダミー領域の基板背面側に、光学素子形成領域と接続された突起状の補強部分を形成するようにしてもよい。
さらに、上記した第２の発明では、光学素子形成領域の外接円よりも基板外周側の位置および基板背面側の光学素子形成領域以外の位置の少なくとも一方に、基板の回転角を位置決めするための位置決め部を形成するようにしてもよい。
【発明の効果】
【０００９】
本発明によれば、外周形状が非円形であって、樹脂層を有する光学素子を効率的に製造することができる。
【発明を実施するための最良の形態】
【００１０】
（第１実施形態の説明）
図１は第１実施形態に係る矩形レンズの製造方法の説明図である。第１実施形態では、型材１１，１２を用いて、レンズ部材（透光性部材）である基板１３に樹脂層からなる矩形レンズを形成する。そして、樹脂層の形成後に基板１３の不要部分を除去して矩形レンズを切り出す。第１実施形態の矩形レンズでは、それぞれ回折格子をなす第１樹脂層および第２樹脂層がレンズ部材に積層されている（図１（ｅ）参照）。
【００１１】
図２に、第１樹脂層の回折格子を形成するための第１の型材１１を示す。なお、第２樹脂層を形成するための第２の型材１２は、後述の光学素子型の形状が相違する点を除いては、第１の型材１１と同じ構成であることから説明を省略する。
第１の型材１１には、矩形の光学素子形成領域１１ａと、光学素子形成領域１１ａの周囲にダミー領域１１ｂとが形成されている。第１の型材１１の光学素子形成領域１１ａには光学素子型が形成されている。この光学素子型は第１樹脂層の回折格子に対応する同心円状の輪帯パターンとなっている。
【００１２】
一方、ダミー領域１１ｂは、光学素子形成領域１１ａとともに樹脂が塗布される光学素子非形成部分である。このダミー領域１１ｂは光学素子形成領域１１ａの外側に形成される。そして、ダミー領域１１ｂは少なくとも光学素子形成領域１１ａの外接円以上の大きさに設定されている。ここで、型材１１にダミー領域１１ｂを設けるのは、光学素子形成領域１１ａにむらなく樹脂を塗布できるようにするためである。以下、その理由を詳述する。
【００１３】
上記の光学素子形成領域は非円形の形状となるため、型材が光学素子形成領域と同形状であると以下の不都合が生じる。すなわち、光学素子形成領域の中心に樹脂を滴下して押し広げる場合、同心円状に広がった樹脂が光学素子形成領域の短手方向端部まで到達すると、それ以後は樹脂が型材からはみ出して側面に回り込みだす（図２（ｃ）参照）。したがって、上記の型材では、光学素子形成領域の長手方向には樹脂が十分に行き渡らないので樹脂を均一に塗布するのが困難である。しかも、型材からはみ出した樹脂は型材の側面を著しく汚すこととなる。
【００１４】
一方、光学素子形成領域の外周に沿って型材に土手を設けたとしても、樹脂の膜厚にムラが生じるので、光学素子形成領域の全面に樹脂を均一に塗布するのはやはり困難である。以上の理由から、第１実施形態の型材１１では、光学素子形成領域１１ａの外接円の範囲まで樹脂をむらなく塗布できるようにダミー領域１１ｂを設けている（図２（ｂ）参照）。
【００１５】
また、図３に第１実施形態の基板を示す。基板１３は、光学素子用のプラスチック樹脂を射出成形してなる薄板状の成形物である。この基板１３の全体形状は、図３（ａ）に示す平面方向からみてほぼ円形に形成されている。
基板１３は、厚肉部分１３ａと薄肉部分１３ｂとを有している。ここで、基板１３の厚肉部分１３ａは、型材の光学素子形成領域に対応する光学素子形成領域となる。また、基板１３の薄肉部分１３ｂは、光学素子形成領域の外接円と光学素子形成領域との間を含むように形成されており、この薄肉部分１３ｂはダミー領域となる。
【００１６】
基板１３の厚肉部分１３ａの形状は平面方向からみて矩形状となっている。また、この厚肉部分１３ａの範囲は、型材１１の光学素子形成領域１１ａと合致する。そして、基板１３の厚肉部分１３ａの表面にはレンズ作用を有する光学面が形成されている。
基板１３の薄肉部分１３ｂは、厚肉部分１３ａの周囲に形成されている。図３（ａ）に示す基板１３の一面（樹脂層形成面）側は、厚肉部分１３ａおよび薄肉部分１３ｂの表面が連続的な平面または曲面を構成している。その一方で、基板１３の他面（樹脂層形成面の背面）側には厚肉部分１３ａと薄肉部分１３ｂとの肉厚差による段差が形成される。そのため、図３（ｂ）に示すように、基板１３の断面形状は浅底の帽子状をなしている。
【００１７】
また、基板１３の薄肉部分１３ｂは、平面方向からみて、厚肉部分（光学素子形成領域）１３ａの外接円よりも大きな円形に設定されている。そのため、光学素子形成領域の外接円の中心部に樹脂を滴下し、型材１１（または型材１２）と基板１３との間で樹脂を押し広げた場合には、光学素子形成領域（１３ａ）に樹脂をむらなく塗布できる。
さらに、基板１３の他面側には、射出成形時のゲートまたはランナなどによって、薄肉部分１３ｂの一部に突起状の補強部分１３ｃが形成されている（図３（ｂ）参照）。この補強部分１３ｃは薄肉部分１３ｂと一体成形されており、基板１３の光学素子形成領域１３ａから基板外周に向けて直線状に延長している。この基板１３の補強部分１３ｃは、基板１３と型材１１，１２とを位置合わせするときの位置決め部や、基板１３を型材１１，１２から離脱させるときの被押圧部として機能する。さらにまた、基板１３の外周部には、厚肉部分１３ａの外接円よりも外周側の位置に切り欠き１３ｄが設けられている。この切り欠き１３ｄは、上記の補強部分１３ｃとともに基板１３と型材１１，１２とを位置合わせするときの位置決め部として機能する。
【００１８】
以下、第１実施形態における矩形レンズの製造方法の各工程を説明する。
（１）第１樹脂層の形成
まず、図１（ａ）に示すように、第１の型材１１に対して、光学素子形成領域１１ａの外接円の中心に未硬化の紫外線硬化型樹脂１４（光学材料樹脂）を滴下する。そして、レンズ部材（透光性部材）の基板１３を第１の型材１１の上方に位置合わせして配置する。なお、型材１１と基板１３との位置合わせは、基板１３の補強部分１３ｃおよび切り欠き１３ｄの位置を参照して簡単に行うことができる。
【００１９】
次に、基板１３を第１の型材１１に押しつけて、未硬化の紫外線硬化型樹脂１４を第１の型材１１上に押し広げて塗布する。このとき、紫外線硬化型樹脂１４は光学素子形成領域１１ａの中心から同心円状に広がって、光学素子形成領域１１ａの外接円の範囲にむらなく塗布される（図２（ｂ）参照）。
ここで、紫外線硬化型樹脂１４を大気圧下で型材に塗布する場合には、回折格子の溝に空気が巻き込まれて樹脂層に気泡が形成されるおそれがある。そのため、特に限定するものではないが、紫外線硬化型樹脂１４の塗布工程は減圧下で行うことが好ましい。なお、紫外線硬化型樹脂１４の硬化前に大気圧下に戻せば、大気圧で型材および基板が押圧されることで樹脂と光学素子型との密着性をより高めることもできる。
【００２０】
次に、図１（ｂ）に示すように、基板１３に紫外線を照射して紫外線硬化型樹脂１４を硬化させる。これにより、基板１３の表面に第１樹脂層が形成される。なお、基板１３の厚肉部分１３ａには、第１樹脂層によって第１の型材１１の光学素子型に対応する回折格子が形成されることとなる。
その後、第１の型材１１のダミー領域１１ｂに配置されたイジェクトピン（不図示）で基板１３の補強部分１３ｃを押圧して、第１の型材１１から基板１３を取り外す。
【００２１】
ここで、補強部分１３ｃを押圧するのは、基板１３の離脱時において薄肉部分１３ｂの破損を防止するためである。すなわち、基板１３の薄肉部分１３ｂを直接イジェクトピンで押圧した場合には、薄肉部分１３ｂの被押圧箇所に穴があいたり、厚肉部分１３ａとの付け根で薄肉部分１３ｂが折れるなどの現象が起こりやすくなる。このように薄肉部分１３ｂが破損すると、型材１１と基板１３との離脱が円滑に行われなくなる。また、二層以上の樹脂層を形成する場合には、次の工程において基板１３の薄肉部分１３ｂで樹脂を押し広げることができなくなる。そのため、第１実施形態では、基板１３の厚肉部分１３ａと接続された補強部分１３ｃを押圧して、薄肉部分１３ｂを破損させることなく型材１１から基板１３を離脱させている。
【００２２】
（２）第２樹脂層の形成
次に、図１（ｃ）に示すように、光学素子型が球面または非球面の光学素子面である第２の型材１２に対し、光学素子形成領域１２ａの中心に未硬化の紫外線硬化型樹脂１５を滴下する。なお、この（２）の工程の紫外線硬化型樹脂１５には、第１樹脂層の紫外線硬化型樹脂１４とは屈折率の値が異なる別の樹脂が使用される。そして、第１樹脂層を下向きにした状態で、上記（１）の基板１３を第２の型材１２の上方に位置合わせして配置する。なお、型材１２と基板１３との位置合わせは、基板１３の補強部分１３ｃおよび切り欠き１３ｄの位置を参照して簡単に行うことができる。
【００２３】
次に、基板１３を第２の型材１２に押しつけて、未硬化の紫外線硬化型樹脂１５を第２の型材１２上に押し広げて塗布する。これにより、第１樹脂層の形成範囲（第２の型材１２における光学素子形成領域１２ａの外接円の範囲）に紫外線硬化型樹脂１５がむらなく塗布される。なお、この紫外線硬化型樹脂１５の塗布工程も減圧下で行うことが好ましい。
【００２４】
次に、図１（ｄ）に示すように、基板１３に紫外線を照射して紫外線硬化型樹脂１５を硬化させる。これにより、第１樹脂層の下に第２樹脂層が積層される。なお、第２樹脂層の光学素子形成領域（基板１３の厚肉部分１３ａ）では、第１樹脂層側が第１樹脂層の回折格子とかみ合う形状の回折格子をなし、表面側が第２の型材１２の光学素子型に対応する光学素子面をなしている。その後、上記（１）と同様の要領で、第２の型材１２から基板１３を取り外す。
【００２５】
（３）薄肉部分の除去
次に、図１（ｅ）に示すように、基板１３の厚肉部分１３ａの周囲をワイヤーソー、レーザー加工または液体ジェット加工で切断し、基板１３の薄肉部分１３ｂを除去する。上記の加工方法のうち、レーザー加工は他の２つの加工方法と比べて著しく短い時間で基板１３を切断できるので好ましい。また、レーザー加工による加工変質層の発生が問題となる場合には、液体ジェット加工で基板１３を切断すれば加工変質層が問題となることは少なく、かつワイヤーソーと比べて加工時間を短縮することができる。なお、研削加工によって基板１３の薄肉部分１３ｂを除去するようにしてもよい。以上の工程で第１実施形態の矩形レンズが製造される。
【００２６】
以下、第１実施形態の効果を説明する。
第１実施形態では、光学素子形成領域の外接円の範囲にダミー領域を設けた型材１１，１２および基板１３を使用するため、矩形の光学素子形成領域にむらなく樹脂を塗布することができる。また、第１実施形態では、押し広げた紫外線硬化型樹脂１４，１５が光学素子形成領域の短手方向端部に到達しても、樹脂が型材の側面に流れ込まないので型材１１，１２の側面の汚れも抑制される。そして、第１実施形態では、基板１３の切除部分（薄肉部分）がレンズ部分（厚肉部分）よりも薄いので、矩形レンズを短い加工時間で切り出すことができる。したがって、矩形レンズの製造歩留まりを向上させることができる。
【００２７】
（第２実施形態の説明）
図４は第２実施形態に係る矩形レンズの製造方法の説明図である。第２実施形態は、２枚のレンズ部材（１１３、２１３）の中間に、回折格子をなす第１樹脂層および第２樹脂層が形成された貼り合わせレンズの製造方法に関する。なお、以下に示す第２実施形態の各工程の説明では、第１実施形態と共通の構成には同一符号を付して説明を省略する。
【００２８】
（１）第１樹脂層の形成
まず、図４（ａ）および図４（ｂ）に示すように、第１実施形態の（１）と同様の工程で、型材１１を用いて第１の基板１１３の表面に第１樹脂層の回折格子を形成する。
（２）第２樹脂層の形成
次に、第１の基板１１３と同形状に形成された第２の基板２１３を用意する。そして、図４（ｃ）に示すように、第２の基板２１３に対して、光学素子形成領域２１３ａの中心に未硬化の紫外線硬化型樹脂１５を滴下する。この（２）の工程の紫外線硬化型樹脂１５には、第１樹脂層の紫外線硬化型樹脂１４とは屈折率の値が異なる別の樹脂が使用される。
【００２９】
次に、上記（１）の工程で第１樹脂層が形成された第１の基板１１３を、第１樹脂層を下向きにした状態で第２の基板２１３の上方に位置合わせして配置する。そして、第１の基板１１３を第２の基板２１３に押しつけて、第１樹脂層で紫外線硬化型樹脂１５を押し広げる。これにより、第１樹脂層と第２の基板２１３との間において、紫外線硬化型樹脂１５が光学素子形成領域２１３ａの外接円の範囲内にむらなく塗布される。
【００３０】
次に、図４（ｄ）に示すように、第１の基板１１３（または第２の基板２１３）に紫外線を照射して紫外線硬化型樹脂１５を硬化させる。これにより、第１の基板１１３および第２の基板２１３の間に第２樹脂層が形成されるとともに、第１の基板１１３および第２の基板２１３が貼り合わされる。また、第１樹脂層の回折格子は一種の型材の役割を果たすので、第２樹脂層の光学素子形成領域には、第１樹脂層の回折格子とかみ合う形状の回折格子が構成される。以上で、回折格子をなす第１樹脂層および第２樹脂層を２枚の基板１１３，２１３の間に有する矩形レンズが形成される。
【００３１】
（３）薄肉部分の除去
次に、図４（ｅ）に示すように、基板の厚肉部分（１１３ａ，２１３ａ）の周囲をワイヤーソー、レーザー加工または液体ジェット加工で切断し、基板の薄肉部分（１１３ｂ，２１３ｂ）を除去する。以上の工程で第２実施形態の矩形レンズが製造される。上記の第２実施形態においても第１実施形態と同様の効果を得ることができる。
【００３２】
（実施形態の補足事項）
以上、本発明を上記の実施形態によって説明してきたが、本発明の技術的範囲は上記実施形態に限定されるものではない。
（１）本発明では、基板または型材の光学素子形成領域にスピンコートで樹脂を押し広げて塗布するようにしてもよい。勿論、基板に樹脂を塗布する場合にも、光学素子形成領域以外にダミー領域を設けることが肝要である。
【００３３】
（２）本発明において、レンズに形成する樹脂層は回折格子に限定されることなく、例えばハードコート用の樹脂層などであってもよい。また、本発明の光学材料樹脂は紫外線硬化型樹脂に限定されることなく、例えば加熱硬化型樹脂であってもよい。
（３）基板の材料は上記実施形態のようにプラスチック製に限定されることなく、ガラス製の基板であってもよい。なお、本発明において基板外周に設ける位置決め部は突起であってもよい。
【００３４】
（４）本発明の光学素子における樹脂層の数は、上記実施形態のように２層に限定されるものではない。例えば、光学素子の樹脂層は１層だけであってもよく、あるいは樹脂層が３層以上積層されたものであってもよい。
【図面の簡単な説明】
【００３５】
【図１】第１実施形態の矩形レンズの製造方法の各工程の説明図
【図２】第１実施形態の型材の説明図
【図３】第１実施形態の基板の説明図
【図４】第２実施形態の矩形レンズの製造方法の各工程の説明図
【符号の説明】
【００３６】
１１，１２…型材
１１ａ，１２ａ…型材の光学素子形成領域
１１ｂ，１２ｂ…型材のダミー領域
１３，１１３，２１３…基板
１３ａ，１１３ａ，２１３ａ…基板の厚肉部分（光学素子形成領域）
１３ｂ，１１３ｂ，２１３ｂ…基板の薄肉部分（ダミー領域）
１３ｃ…補強部分
１３ｄ…切り欠き
１４，１５…紫外線硬化型樹脂
【図１】
2007111958.tif 000003
【図２】
2007111958.tif 000004
【図３】
2007111958.tif 000005
【図４】
2007111958.tif 000006